(57)【要約】      （修正有）【課題】導電部材を基板に接触させて電気接続させるモジュラー化接触式玩具ブロックを提供する。【解決手段】上面に２対の挿設凸部１１が凸設され、底面に開口が形成され、挿設凸部に挿設孔１２が形成されるケース１０と、ケースの挿設孔に取り付けられ、それぞれ、内部に貫通孔が形成され、貫通孔と連通するスリットが形成されている絶縁部材と、貫通孔に貫設され、外周面に該スリットから横方向へ突出する接触電極部が設けられている導電部材とを備える２対の接続柱２０と、正極回路と、負極回路と、正極回路及び負極回路と電気接続する電子部品とを備える基板３０と、ケースの内部に設置されるベース４０と、を有する。各対の接続柱の中の一つの接続柱は、接触電極部を介して正極回路と接触して正極接続柱になり、もう一つの接続柱は、接触電極部を介して負極回路と接触して負極接続柱になる。【選択図】図２
0003186941.tif 000002
【実用新案登録請求の範囲】
【請求項１】
中空状を呈し、上面に少なくとも一対の挿設凸部が凸設され、底面に内部と連通する開口が形成され、該挿設凸部に挿設孔が形成されているケースと、
前記ケースの前記挿設孔に取り付けられ、それぞれ、内部に貫通孔が形成され、一側に該貫通孔と連通するスリットが形成されている絶縁部材と、該貫通孔に貫設され、上端に該貫通孔の上部から突出する上電極部が設けられ、外周面に該スリットから横方向へ突出する接触電極部が設けられ、下端に該貫通孔の下部から突出する下電極部が設けられている導電部材とを備える、少なくとも１対の接続柱と、
前記接続柱を貫設させるようにケースの内部に設置され、正極回路と、負極回路と、該正極回路及び該負極回路と電気接続する電子部品とを備える基板と、
前記接続柱を貫設させるように、ケースの内部に設置されるベースと、を有し、
その内、前記各対の接続柱の中の一つの接続柱は、前記導電部材の前記接触電極部を介して前記基板の前記正極回路と接触して電気接続されて正極接続柱になり、もう一つの接続柱は、前記導電部材の前記接触電極部を介して前記基板の前記負極回路と接触して電気接続されて負極接続柱になることを特徴とするモジュラー化接触式玩具ブロック。
【請求項２】
前記接続柱の上端が前記ケースに当接され、
前記接続柱の前記接触電極部が前記基板に当接され、
前記ベースが前記基板に当接されていることを特徴とする請求項１に記載のモジュラー化接触式玩具ブロック。
【請求項３】
前記導電部材の前記下電極部が前記上電極部と間隔をおいて設けられていることを特徴とする請求項１に記載のモジュラー化接触式玩具ブロック。
【請求項４】
前記導電部材における前記上電極部の上面に挿設凹部が凹設され、下端の該上電極部と対応する箇所に、前記貫通孔から突出する前記下電極部が設けられることを特徴とする請求項１に記載のモジュラー化接触式玩具ブロック。
【請求項５】
前記電子部品がＬＥＤライトであることを特徴とする請求項１乃至４の何れか１項に記載のモジュラー化接触式玩具ブロック。
【請求項６】
前記挿設孔の内周面の上縁に当接縁部が中心に向かって延設され、
前記接続柱の上端が前記当接縁部に当接することを特徴とする請求項１乃至５の何れか１項に記載のモジュラー化接触式玩具ブロック。
【請求項７】
前記各対の前記挿設凸部の中で、一つの挿設凸部が円形を呈し、もう一つの挿設凸部が方形を呈することを特徴とする請求項１乃至５の何れか１項に記載のモジュラー化接触式玩具ブロック。
【考案の詳細な説明】
【技術分野】
【０００１】
本考案は、特に導電部材が基板に接触することにより電気接続する接触式玩具ブロックに関するものである。
【背景技術】
【０００２】
現在の玩具ブロックは、電子産業の発展に伴い、様々な新製品、例えば、ブロックの内部に基板や、ＬＥＤライト、サウンダなどの電子部品を取り付け、電源に接続すると、ブロックが光や音を発生するものが開発されている。
【０００３】
既存の発光可能なブロックは、例えば、台湾の実用新案第Ｍ４０８４０２号に記載されており、その構造によれば、基板に接続柱が差し込まれ、該接続柱に正極電気接続部材と負極電気接続部材が取り付けられ、且つ正極電気接続部材及び負極電気接続部材にそれぞれ金属線を備え、これらの金属線がそれぞれ溶接手段によって基板に接続されて電子部品と電気接続されるものである。
【考案の概要】
【考案が解決しようとする課題】
【０００４】
しかしながら、既存の発光可能な玩具ブロックは、接続柱に正極及び負極が同時に配置されることから、部品の数が多く、構造が複雑で溶接などの組み立ての手間がかかるので、人件費が高いと共に、環境汚染を引き起こすおそれもあった。
【０００５】
また、接続柱の正極電気接続部材及び負極電気接続部材は、同じ挿設孔に取り付けられることから、ある金属の異物が挿設孔に落ちたり、或いは、挿設孔が変形したりすると、ショートする恐れがあり、非常に危険であった。
【課題を解決するための手段】
【０００６】
本考案に係るモジュラー化接触式玩具ブロックは、中空状を呈し、上面に少なくとも一対の挿設凸部が凸設され、底面に内部と連通する開口が形成され、該挿設凸部に挿設孔が形成されているケースと、
前記ケースの前記挿設孔に取り付けられ、それぞれ、内部に貫通孔が形成され、一側に該貫通孔と連通するスリットが形成される絶縁部材と、該貫通孔に貫設され、上端に該貫通孔の上部から突出する上電極部が設けられ、外周面に該スリットから横方向へ突出する接触電極部が設けられ、下端に該貫通孔の下部から突出する下電極部が設けられている導電部材とを備える、少なくとも１対の接続柱と、
前記接続柱を貫設させるようにケースの内部に設置され、正極回路と、負極回路と、該正極回路及び該負極回路と電気接続する電子部品とを備える基板と、
前記接続柱を貫設させるように、ケースの内部に設置されるベースと、を有し、
その内、前記各対の接続柱の中の一つの接続柱は、前記導電部材の前記接触電極部を介して前記基板の前記正極回路と接触して電気接続されて正極接続柱になり、もう一つの接続柱は、前記導電部材の前記接触電極部を介して前記基板の前記負極回路と接触して電気接続されて負極接続柱になるものである。
【０００７】
かかるモジュラー化接触式玩具ブロックにおいて、前記接続柱の上端が前記ケースに当接され、前記接続柱の前記接触電極部が前記基板に当接され、前記ベースが前記基板に当接されていることが好ましい。
【０００８】
かかるモジュラー化接触式玩具ブロックにおいて、前記導電部材の前記下電極部が前記上電極部と間隔をおいて設けられていることが好ましい。
【０００９】
かかるモジュラー化接触式玩具ブロックにおいて、前記導電部材における前記上電極部の上面に挿設凹部が凹設され、下端の該上電極部と対応する箇所に、前記貫通孔から突出する前記下電極部が設けられることが好ましい。
【００１０】
かかるモジュラー化接触式玩具ブロックにおいて、前記電子部品がＬＥＤライトであることが好ましい。
【００１１】
かかるモジュラー化接触式玩具ブロックにおいて、前記挿設孔の内周面の上縁に当接縁部が中心に向かって延設され、前記接続柱の上端が前記当接縁部に当接することが好ましい。
【００１２】
かかるモジュラー化接触式玩具ブロックにおいて、前記各対の前記挿設凸部の中で、一つの挿設凸部が円形を呈し、もう一つの挿設凸部が方形を呈することが好ましい。
【考案の効果】
【００１３】
本考案に係るモジュラー化接触式玩具ブロックは、正極接続柱と負極接続柱との構造が同一であることから、製造上、モジュール化することができる。また、各接続柱の絶縁部材と導電部材との取り付け方も非常に簡単であることから、組立の手間がかからないので、生産コストを低く抑えることができる。
【００１４】
また、接続柱、基板、ベースが順にケースの内部に組立てられると共に、接続柱の上端がケースに、接続柱の接触電極部が基板に、ベースが基板に当接されることから、ブロックの組立てが簡単であり、また、接触電極部をしっかり基板と接触させて電気接続することできることから、溶接加工などを行う必要がないので、製造が非常に簡単であり、環境にもやさしく、生産コストの節約も可能となる。
【００１５】
さらに、各対の接続柱の中の一つの接続柱は、導電部材の接触電極部を介して基板の正極回路と接触すれば、正極接続柱になり、もう一つの接続柱は、導電部材の接触電極部を介して基板の負極回路と接触すれば、負極接続柱になり、接触式の電気接続構造であるので、接続柱の内部に同時に正極及び負極を存在することはないと共に、ある金属の異物が挿設孔に落ちたり、或いは、挿設孔が変形したりしても、ショートすることはなく、安全性が向上する。
【図面の簡単な説明】
【００１６】
【図１】本考案に係るモジュラー化接触式玩具ブロックに係る第一実施例の斜視図である。
【図２】本考案に係るモジュラー化接触式玩具ブロックに係る第一実施例における部分分解斜視図である。
【図３】本考案に係るモジュラー化接触式玩具ブロックに係る第一実施例における接続柱の拡大分解斜視図である。
【図４】本考案に係るモジュラー化接触式玩具ブロックに係る第一実施例における接続柱が基板に取り付けられた状態を示す縦方向の断面図である。
【図５】本考案に係るモジュラー化接触式玩具ブロックに係る第一実施例における接続柱が基板に取り付けられた状態を示す横方向の断面図である。
【図６】本考案に係るモジュラー化接触式玩具ブロックに係る第一実施例において、２つのブロックを組み立てた状態を示す断面図である。
【図７】本考案に係るモジュラー化接触式玩具ブロックに係る第二実施例における接続柱の拡大分解斜視図である。
【図８】本考案に係るモジュラー化接触式玩具ブロックに係る第二実施例における接続柱が基板に取り付けられた状態を示す縦方向の断面図である。
【図９】本考案に係るモジュラー化接触式玩具ブロックに係る第二実施例において、２つのブロックを組み立てた状態を示す断面図である。
【図１０】本考案に係るモジュラー化接触式玩具ブロックに係る第三実施例の斜視図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１及び図２に示すように、本考案に係るモジュラー化接触式玩具ブロックにおける第一実施例は、ケース１０と、少なくとも一対の接続柱２０と、基板３０と、ベース４０とを有し、その内、該ケース１０は、透光性を備える中空の立方体であり、上面に少なくとも一対の挿設凸部１１が凸設され、該挿設凸部１１の上面中心に挿設孔１２が形成され、該挿設孔１２の内周面の上縁に当接縁部１３が中心に向かって延設されている。また、前記ケース１０の底面に内部と連通する開口が形成されている。尚、第一実施例では、ケース１０の上面に２対の挿設凸部１１が凸設されている。
【００１９】
前記少なくとも１対の接続柱２０は、それぞれ、上端が当接縁部１３に当接するように（図６の如く）、ケース１０の挿設孔１２に取り付けられる。第一実施例において、２対の接続柱２０が行列に配列されていることが好ましい。ここでの行列とは、行と列に沿って矩形状に配列するというものである。図３に示すように、前記各接続柱２０は、絶縁部材２１及び導電部材２２を備え、該絶縁部材２１は、上端が挿設孔１２に嵌め込まれ、内部に上下方向に貫通する貫通孔２１０が形成され、底部の一側に該貫通孔２１０と連通するスリット２１１が形成されている。
【００２０】
本実施例における接続柱２０は、単に本考案の一つの例であり、その絶縁部材２１は、２つのシェルを組み合わせて構成してもよく、２本のチューブを上下に連結して構成してもよく、或いは、上部及び下部を円形に設けてもよく、方形に設けてもよく、接続柱２０の外観やタイプに制限はない。
【００２１】
前記導電部材２２は、絶縁部材２１の貫通孔２１０に貫設され、上端に貫通孔２１０の上部から突出する上電極部２２０が設けられていると共に、下端近傍の外周面にスリット２１１から横方向へ突出する接触電極部２２１が設けられ、下端に貫通孔２１０の下部から突出しながら、該上電極部２２０とずれるように下電極部２２２が設けられている。
【００２２】
図２、図４、図５に示すように、前記基板３０には、ケース１０の内部に設置され、接続柱２０と対応する箇所にそれぞれ、接続柱２０を貫設させるための貫設孔３１が形成され、更に、正極回路３２及び負極回路３３が形成され（図５の如く）、前記接続柱２０の導電部材２２の接触電極部２２１は、基板３０の正極回路３２或いは負極回路３３に当接されている。
【００２３】
前記各対の接続柱２０の中の一つの接続柱２０は、導電部材２２の接触電極部２２１を介して基板３０の正極回路３２と接触して電気接続されれば、該接続柱２０は正極接続柱２０Ａになり、もう一つの接続柱２０は、導電部材２２の接触電極部２２１を介して基板３０の負極回路３３と接触して電気接続されれば、該接続柱２０を負極接続柱２０Ｂになる。
【００２４】
前記基板３０の正極回路３２及び負極回路３３はそれぞれ、行列に配列されることが好ましい。即ち、正極接続柱２０Ａの周囲に負極接続柱２０Ｂのみ設置すると共に、負極接続柱２０Ｂの周囲に正極接続柱２０Ａのみ設置する。
【００２５】
前記基板３０にはさらに、正極回路３２及び負極回路３３と電気接続する、ＬＥＤライトまたはサウンダである電子部品３４が取り付けられている。
【００２６】
図２に示すように、前記ベース４０は、中空状を呈し、基板３０の下側に当接しながらケース１０の内部に位置するように取り付けられると共に、接続柱２０を貫設させるために少なくとも１対の貫通孔４１が形成されていることが好ましい。
【００２７】
図６に示すように、本考案における第一実施例において、２つのブロックを組立てる時は、上側のケース１０の正極接続柱２０Ａの底端と下側のケース１０の正極接続柱２０Ａの上端とを組み合わせて、上側の正極接続柱２０Ａの導電部材２２の下電極部２２２を下側の正極接続柱２０Ａの導電部材２２の上電極部２２０と接触させ、上側のケース１０の正極接続柱２０Ａと下側のケース１０の正極接続柱２０Ａとを電気接続させ、更に、上側のケース１０の負極接続柱２０Ｂの底端と下側のケース１０の負極接続柱２０Ｂの上端とを組み合わせ、上側の負極接続柱２０Ｂの導電部材２２の下電極部２２２を下側の負極接続柱２０Ｂの導電部材２２の上電極部２２０と接触させ、上側のケース１０の負極接続柱２０Ｂと下側のケース１０の負極接続柱２０Ｂとを電気接続させればよい。
【００２８】
上述したように、２つのブロックを組立てた後、最も上側或いは最も下側のブロックの正極接続柱２０Ａと負極接続柱２０Ｂをそれぞれ電源の正極と負極と電気接続させると、電子部品３４を発光させたり、電子部品３４から音声を出させたりすることができる。
【００２９】
本考案における第二実施例は、殆ど第一実施例と同一であるが、接続柱２０Ｃのタイプが異なる。図７及び図８に示すように、第二実施例における接続柱２０Ｃは、絶縁部材２１Ｃ及び導電部材２２Ｃを備え、該導電部材２２Ｃは、該絶縁部材２１Ｃの貫通孔２１０Ｃに貫設され、上端に貫通孔２１０Ｃの上部から突出する上電極部２２０Ｃが設けられ、該上電極部２２０Ｃの上面中心に挿設凹部２２３Ｃが凹設され、下端近傍の外周面にスロット２１１Ｃから横方向に突出する接触電極部２２１Ｃが設けられ、下端の該上電極部２２０Ｃと対応する箇所に貫通孔２１０Ｃから突出する下電極部２２２Ｃが設けられ、且つ、該下電極部２２２Ｃの外径は、上電極部２２０Ｃの内径と同じかそれより小さい。
【００３０】
図９に示すように、本考案における第二実施例において、２つのブロックを組立てる時は、上側のケース１０Ｃの導電部材２２Ｃの下電極部２２２Ｃを下側のケース１０Ｃの導電部材２２Ｃの挿設凹部２２３Ｃに差し込み、上側の導電部材２２Ｃと下側の導電部材２２Ｃとを電気接続すればよい。尚、第二実施例の他の構造や、組立て方、効果などは殆ど第一実施例と同一であることから、その説明は省略する。
【００３１】
図１０に示すように、本考案における第三実施例は、殆ど第一実施例と同一であるが、１対の挿設凸部１１Ｄの中で一つの挿設凸部１１Ｄが円形を呈し、もう一つの挿設凸部１１Ｄが方形を呈する点において異なる。尚、該ケース１０Ｄに少なくとも１対の挿設凸部１１Ｄを備える場合、円形の挿設凸部１１Ｄと方形の挿設凸部１１Ｄは、行列に配列され、即ち、円形の挿設凸部１１Ｄの周囲に方形の挿設凸部１１Ｄのみ設置すると共に、方形の挿設凸部１１Ｄの周囲に円形の挿設凸部１１Ｄのみ設置する。尚、第三実施例の他の構造や、組立て方、効果などは殆ど第一実施例と同一であることから、その説明は省略する。
【００３２】
本考案の第三実施例においては、円形の挿設凸部１１Ｄと方形の挿設凸部１１Ｄがそれぞれ設けられることから、ケース１０Ｄの外観から正極の接続柱２０Ｄと負極の接続柱２０Ｄとが分かりやすくなることから、２つのブロックを組立てる時、間違わないように、正極の挿設凸部１１Ｄを正極の挿設凸部１１Ｄと、負極の挿設凸部１１Ｄを負極の挿設凸部１１Ｄと正しく接続することができる。
【００３３】
本考案に係るモジュラー化接触式玩具ブロックは、正極接続柱２０と負極接続柱２０との構造が同一であることから、製造上モジュール化することができ、また、各接続柱２０の絶縁部材２１と導電部材２２との取り付け作業も非常に簡単であることから、組立の手間がかからないので、生産コストを低減することができる。
【００３４】
一方、本考案に係るモジュラー化接触式玩具ブロックにおいて、各対の接続柱２０の中の一つの接続柱２０は、導電部材２２の接触電極部２２１を介して基板３０の正極回路３２と接触すれば、正極接続柱２０Ａになり、もう一つの接続柱２０は、導電部材２２の接触電極部２２１を介して基板３０の負極回路３３と接触すれば、負極接続柱２０Ｂになり、接触式の電気接続構造であるので、接続柱２０の内部に同時に正極及び負極を存在することはないと共に、ある金属の異物が挿設孔１２に落ちたり、或いは、挿設孔１２が変形したりしても、ショートすることはなく、安全性が向上する。
【符号の説明】
【００３５】
１０、１０Ｃ、１０Ｄ    ケース
１１、１１Ｄ            挿設凸部
１２                    挿設孔
１３                    当接縁部
２０、２０Ｃ、２０Ｄ    接続柱
２１、２１Ｃ            絶縁部材
２１０、２１０Ｃ        貫通孔
２１１                  スリット
２２、２２Ｃ            導電部材
２２０、２２０Ｃ        上電極部
２２１、２２１Ｃ        接触電極部
２２２、２２２Ｃ        下電極部
２２３Ｃ                挿設凹部
３０                    基板
３１                    貫設孔
３２                    正極回路
３３                    負極回路
３４                    電子部品
２０Ａ                  正極接続柱
２０Ｂ                  負極接続柱
４０                    ベース
４１                    貫通孔
【図１】
0003186941.tif 000003
【図２】
0003186941.tif 000004
【図３】
0003186941.tif 000005
【図４】
0003186941.tif 000006
【図５】
0003186941.tif 000007
【図６】
0003186941.tif 000008
【図７】
0003186941.tif 000009
【図８】
0003186941.tif 000010
【図９】
0003186941.tif 000011
【図１０】
0003186941.tif 000012